(57)【要約】【課題】農作業者の手の届きにくい少し高い場所の作業を容易にする。【解決手段】この農作業用下駄Ａは、発泡プラスチックにより断面略台形に形成され、底面１６は前後方向中間に溝１６０を形成されて、本底１６１と、ヒール１６２とからなり、さらにヒール１６２が両側方向中間に溝１９を形成されて２分割され、所定の高さを有する一対の足支持ブロック１と、各支持ブロック１に取り付けられ、各足支持ブロック１を足に固定するためのバンド２とを備え、農作業者が足の下に装着することで足場の高さを伸長し、底面１６の３点支持により移動できるようにした。【選択図】図１
2017136132.tif 000002
【特許請求の範囲】
【請求項１】
発泡プラスチックにより、底面が上面より大きい、正面・背面側断面略台形でかつ左右両側面側断面略台形に形成され、上面が足を乗せるための足乗せ部で、底面は前後方向中間に溝を形成されて、前部側の本底と、後部側のヒールとからなり、かつ前記ヒールが両側方向中間に溝を形成されて２分割され、所定の高さを有する一対の足支持ブロックと、
前記各支持ブロックに取り付けられ、前記各足支持ブロックを足に固定するためのバンドと、
を備えて構成され、
農作業者が足の下に装着することで足場の高さを伸長し、前記底面の前記本底及び前記２分割されたヒールの３点支持により移動できるようにした、
ことを特徴とする農作業用下駄。
【請求項２】
各足支持ブロックの上面は両側部及び後部にそれぞれ立ち上がり部を有し、前部は開放される請求項１に記載の農作業用下駄。
【請求項３】
各足支持ブロックの本底、溝にそれぞれ、凹部を有する請求項１又は２に記載の農作業用下駄。
【請求項４】
各足支持ブロックの上面の両側で、前記上面の前後方向中央と前部との間の前側所定の位置にそれぞれ、当該前側所定の位置と底面の本底の凹部の中底との間を貫通して一対の前側ベルト挿通部を形成されて、前記前側所定の位置の開口に硬質のプラスチックからなるグロメットが嵌着され、前記上面の前後方向中央と後部との間の後側所定の位置にそれぞれ、当該後側所定の位置と底面のヒールの凹部の中底との間を貫通して一対の後側ベルト挿通部を形成されて、前記後側所定の位置の開口に硬質のプラスチックからなるグロメットが嵌着され、バンドは前側のバンドと後側のバンドとからなり、前記前側のバンドは前記各前側ベルト挿通部に通され、前記上面と前記本底の凹部の中底との間に巻き掛けられて、前記上面の開口から取り出され、前記後側のバンドは前記各後側ベルト挿通部に通され、前記上面と前記ヒールの凹部の中底との間に巻き掛けられて、前記上面の開口から取り出される請求項３に記載の農作業用下駄。
【発明の詳細な説明】
【技術分野】
【０００１】
本発明は、農作業、特に、手の届かない少し高い場所の作業に使用する農作業用下駄に関する。
【背景技術】
【０００２】
作物の手入れや収穫などの農作業には、手の届きにくい少し高い場所の作業がある。
このような場合、従来は、ビールなどを収納するプラスチック製のコンテナを上下逆さまにして台として使ったり脚立（特許文献１参照）を用いたりして作業を行っている。
また、この種の作業を効率的に行うため、昇降台を搭載した電動式の作業車（特許文献２参照）なども利用されている。
【先行技術文献】
【特許文献】
【０００３】
【特許文献１】特開２０００−３３７０６６公報
【特許文献２】実開平６−３３４０７公報
【発明の概要】
【発明が解決しようとする課題】
【０００４】
しかしながら、この種の作業をビール収納用のコンテナや脚立を使って行う場合、その上がり下りが大変で、肉体的疲労が大きい、という問題がある。
また、この種の作業を電動式の作業車を利用して行えば、上記の問題は解消されるものの、電動式の機械であるため、コストの増大は避けられない、という問題がある。
【０００５】
本発明は、このような従来の問題を解決するもので、農作業者が足場の高さを伸長し移動できるようにして、農作業の、特に、手の届かない少し高い場所の作業を手の届く高さの場所の作業と同様に容易に行え、しかも、製造コストを低減して農作業者に廉価で提供できる農作業用下駄を提供すること、を目的とする。
【課題を解決するための手段】
【０００６】
上記目的を達成するために、本発明は、
発泡プラスチックにより、底面が上面より大きい、正面・背面側断面略台形でかつ左右両側面側断面略台形に形成され、上面が足を乗せるための足乗せ部で、底面は前後方向中間に溝を形成されて、前部側の本底と、後部側のヒールとからなり、かつ前記ヒールが両側方向中間に溝を形成されて２分割され、所定の高さを有する一対の足支持ブロックと、
前記各支持ブロックに取り付けられ、前記各足支持ブロックを足に固定するためのバンドと、
を備えて構成され、
農作業者が足の下に装着することで足場の高さを伸長し、前記底面の前記本底及び前記２分割されたヒールの３点支持により移動できるようにした、
ことを要旨とする。
また、この農作業用下駄の各部は次のように具体化される。
（１）各足支持ブロックの上面は両側部及び後部にそれぞれ立ち上がり部を有し、前部は開放される。
（２）各足支持ブロックの本底、溝にそれぞれ、凹部を有する。
（３）各足支持ブロックの上面の両側で、前記上面の前後方向中央と前部との間の前側所定の位置にそれぞれ、当該前側所定の位置と底面の本底の凹部の中底との間を貫通して一対の前側ベルト挿通部を形成されて、前記前側所定の位置の開口に硬質のプラスチックからなるグロメットが嵌着され、前記上面の前後方向中央と後部との間の後側所定の位置にそれぞれ、当該後側所定の位置と底面のヒールの凹部の中底との間を貫通して一対の後側ベルト挿通部を形成されて、前記後側所定の位置の開口に硬質のプラスチックからなるグロメットが嵌着され、バンドは前側のバンドと後側のバンドとからなり、前記前側のバンドは前記各前側ベルト挿通部に通され、前記上面と前記本底の凹部の中底との間に巻き掛けられて、前記上面の開口から取り出され、前記後側のバンドは前記各後側ベルト挿通部に通され、前記上面と前記ヒールの凹部の中底との間に巻き掛けられて、前記上面の開口から取り出される。
【発明の効果】
【０００７】
本発明の農作業用下駄は、発泡プラスチックにより、所定の高さを有する断面略台形に形成され、上面が足を乗せるための足乗せ部で、底面が前部側の本底と後部側の２分割されたヒールに３分割された一対の足支持ブロックと、各足支持ブロックを足に固定するためのバンドとを備えて構成され、農作業者が足の下に装着することで足場の高さを伸長し、底面の本底及び２分割されたヒールの３点支持により移動できるようにしたので、通常では手の届きにくい少し高い場所でも手が届き、また、底面に大きい設置面積を有していても底面の３分割により底面と地面との接触面積を可及的に少なくして地面の凹凸に対応して移動することができ、農作業の、特に、手が届かない少し高い場所の作業を手の届く高さの場所の作業と同様に容易に行うことができ、しかも、主要部の各足支持ブロックを発泡プラスチック成形品としたことで、製造コストを低減して、農作業者に廉価で提供することができる、という本発明独自の格別な効果を奏する。
【図面の簡単な説明】
【０００８】
【図１】本発明の一実施の形態における農作業用下駄の構成を示す図（斜視図）
【図２】同農作業用下駄（右側の農作業用下駄）の構成を示す図（正面図）
【図３】同農作業用下駄（右側の農作業用下駄）の構成を示す図（背面図）
【図４】同農作業用下駄（右側の農作業用下駄）の構成を示す図（内側（右側）の側面図）
【図５】同農作業用下駄（右側の農作業用下駄）の構成を示す図（外側（左側）の側面図）
【図６】同農作業用下駄（右側の農作業用下駄）の構成を示す図（平面図）
【図７】同農作業用下駄（右側の農作業用下駄）の構成を示す図（底面図）
【図８】同農作業用下駄（右側の農作業用下駄）の構成を示す図（（ａ）は図６中のＡ−Ａ線断面図（ｂ）は図６中のＢ−Ｂ線断面図）
【図９】同農作業用下駄の使用状態を示す図
【発明を実施するための形態】
【０００９】
次に、この発明を実施するための形態について図を用いて説明する。
図１に農作業用下駄を示している。
図１に示すように、農作業用下駄Ａは、上面が足を乗せるための足乗せ部１５で、所定の高さを有する左足用、右足用の一対の足支持ブロック１と、各足支持ブロック１に取り付けられ、各足支持ブロック１を足に固定するためのバンド２とを備えて構成される。
【００１０】
一対の足支持ブロック１は（一般の下駄と同様に）左右対称で、それぞれ、発泡プラスチックからなり、底面１６が上面１５より大きい、正面・背面側断面略台形でかつ左右両側面側断面略台形に形成されて、正面１１、背面１２、外側、内側の各側面１３、１４がそれぞれ、上部側から下部側に向けて漸次末広がりの傾斜面になっている。なお、この農作業用下駄Ａの右足用は左側面が外側の側面１３、右側面が内側の側面１４になり、左足用はその反対になる。
この場合、各足支持ブロック１は、高性能（硬質）の特殊ポリスチレンフォームにより、正面・背面側断面略縦長の台形でかつ左右両側面側断面略横長の台形に形成される。
各足支持ブロック１の正面１１、背面１２は、図２、図３に示すように、若干断面略円弧状に形成されて、円弧状の傾斜面になっている。また、上面（略水平面）１５と内側の側面１４とのなす傾斜角は９０度よりも僅かに大きい角度、上面（略水平面）１５と外側の側面１３とのなす傾斜角は上面１５と内側の側面１４のなす傾斜角よりも少し大きい角度になっている。これら正面１１、背面１２と外側、内側の各側面１３、１４との間はアールが付けられる。
【００１１】
各足支持ブロック１は上面１５の両側部及び後部にそれぞれ立ち上がり部１１１，１１２、１１３を有し、前部は立ち上がり部がなく開放される。
この場合、上面１５両側部の立ち上がり部１１１，１１２はそれぞれ上面１５の前部から後部にかけて断面台形の凸状に形成され、外側の側部の立ち上がり部１１１が内側の側部の立ち上がり部１１２よりも少し幅が大きくなっている。
上面１５後部の立ち上がり部１１３は両側部の立ち上がり部１１１，１１２よりも少し高い、正面・背面断面略台形でかつ平面断面略円弧状（図６参照）に形成されて、両側部の各立ち上がり部１１１，１１２に連接されている。
【００１２】
各足支持ブロック１は、図４、図５及び図７に示すように、底面１６の前後方向中間に溝１６０が形成されて、前部側の本底１６１と、後部側のヒール１６２とからなり、さらにヒール１６２が左右両側方向中間に溝１９を形成されて２分割され、全体として３分割される。
この場合、溝１６０は底面１６の前後方向中央よりも少し後部側に断面略逆Ｖ字形に形成されて、溝１６０の頂部から底面１６後部側に延びる後部側傾斜面１６０Ｒと、溝１６０の頂部から底面１６前部側に延びる前部側傾斜面１６０Ｆとからなる。また、この場合、後部側傾斜面１６０Ｒと底面１６（ヒール１６２）とのなす傾斜角は９０度よりも僅かに大きく、前部側傾斜面１６０Ｆと底面１６（本底１６１）とのなす傾斜角は後部側傾斜面１６０Ｒと底面１６（ヒール１６２）とのなす角度よりも少し大きくなっている。
前部側の本底１６１は前後方向の寸法が後部側のヒール１６２の前後方向の寸法よりも長く、その分だけ面積が大きくなっている。また、本底１６１と正面１１との間はアールが付けられてつま先上がりになっている。
ヒール１６２の溝１９は、ヒール１６２の左右両側部方向略中間に、この場合、両側部方向中央よりもやや内側方向に寄せて略逆Ｖ字形にかつ背面１２が上下方向中間所定の高さ（本底１６１の凹部１７よりも少し高い位置）まで開口され、その奥（背面１２から見て開口の奥）は開口頂部から漸次下方傾斜されるとともに開口内の両側面が背面１２側から漸次幅狭になって、下部奥で開口され、底面１６中間の溝１６０に連通される。また、ヒール１６２と背面１２との間にアールが付けられて踵上がりになっている。
このようにして底面１６は本底１６１、２分割されたヒール１６２の３分割面からなり、溝１６０、１９により、足支持ブロック１の素材の持つ軽さに加え、さらに軽量化を図り、底面１６は大きい設置面積を有しながら、底面１６の地面に対する接触面積を可及的に小さくして、地面の凹凸に対応できるようにしてある。
【００１３】
図７、図８に示すように、本底１６１、溝１６０にそれぞれ、凹部１７、１８を有し、ヒール１６２の左右方向中間部に溝１９を有する。
この場合、本底１６１の凹部１７は、本底１６１の前後方向中央で両側部方向中央よりもやや内側に中心を置いて両側部方向に長い略矩形状に開口され、上下方向中間所定の高さまで形成されて、その奥の面が上面１５と平行の中底１７１になっている。
溝１６０の凹部１８は、前部側傾斜面１６０Ｆ、後部側傾斜面１６０Ｒ間に跨って両側部方向に長い略台形状又は略矩形状に開口され、本底１６１の凹部１７と同じ上下方向中間所定の高さまで形成されて、その奥の面が上面１５と平行の中底１８１になっている。
このようにして足支持ブロック１のさらなる軽量化を図り、底面１６の地面に対する接触面積をさらに小さくして地面の凹凸に対応できるようにしてある。
【００１４】
なお、この場合、各足支持ブロック１は上面１５の足乗せ部の長さが２９ｃｍ程（正確には２８８ｍｍ）、幅が１３ｃｍ程（正確には１３０ｍｍ）で、足が大きい場合は、つま先を足乗せ部１５の前部から外側に突出すればよく、足のサイズが２２ｃｍから３０ｃｍまで対応可能である。上面１５の両側立ち上がり部１１１、１１２の高さは１５ｃｍ程（正確には１５０ｍｍ）、後部立ち上がり部１１３は５０ｃｍ程（正確には５００ｍｍ）で、足のずれを防止するのに十分な高さを有している。また、各支持ブロック１の底面１６の長さは３７ｃｍ程（正確には３６８ｍｍ）、幅が２５ｃｍ程（正確には２５０ｍｍ）で、十分に大きな設置面積を有している。さらに、各足支持ブロック１の高さ、すなわち、底面１６から上面１５までの寸法は３０ｃｍ程（正確には３００ｍｍ）で、足場を伸長させるのに十分な高さを有している。
【００１５】
図６に示すように、各足支持ブロック１の上面１５の両側、この場合、両側部の立ち上がり部１１１，１１２の内側で、上面１５の前後方向中央と前部との間の前側所定の位置にそれぞれ、この前側所定の位置と底面１６の本底１６１の凹部１７の中底１７１との間を貫通して一対の前側ベルト挿通部１０１（図８（ａ）参照）を形成されて、前側所定の位置の開口に硬質のプラスチックからなるグロメット１０が嵌着され、上面１５の前後方向中央と後部との間の後側所定の位置にそれぞれ、この後側所定の位置と底面１６の溝１６０の凹部１８の中底１８１との間を貫通して一対の後側ベルト挿通部１０２（図８（ａ）参照）を形成されて、後側所定の位置の開口に硬質のプラスチックからなるグロメット１０が嵌着される。
この場合、前側、後側の各ベルト挿通部１０１、１０２はバンド２が挿通可能に前後方向に細長い長方形状に形成され、それぞれに、細長い長方形状のグロメット１０が嵌め込まれて上面１５の各開口縁部が補強される。
【００１６】
バンド２は、図６に示すように、前側のバンド２Ｆと後側のバンド２Ｒとからなる。この場合、前側、後側の各バンド２Ｆ、２Ｒはナイロン製で、それぞれ、一端に雄側の面ファスナ、他端に雌側の面ファスナが縫い付けられた面ファスナ止めの形式になっている。前側のバンド２Ｆは各足支持ブロック１の各前側ベルト挿通部１０１に通され、上面１５と本底１６１の凹部１７の中底１７１との間に巻き掛けられて、両端が上面１５の各開口から取り出され、同様にして、後側のバンド２Ｒは各足支持ブロック１の各後側ベルト挿通部１０２に通され、上面１５とヒール１６２の凹部１８の中底１８１との間に巻き掛けられて、両端が上面１５の各開口から取り出される。
【００１７】
このようにして農作業用下駄Ａは、農作業者が農作業の、特に手の届かない少し高い場所の作業を行う際に、足の（裏）下に装着することにより、足場の高さを伸長し、底面１６の本底１６１及び２分割されたヒール１６２の３点支持により移動できるようにしている。
なお、この農作業用下駄Ａを装着する場合は、農作業者が靴を履いたまま（裸足でもよい。）各足支持ブロック１の上面足乗せ部１５に足を乗せてこの上に立ち上がり、前側のバンド２Ｆを足の甲当たりの上に巻き付け、後側のバンド２Ｒを足首付近に巻き付けて、それぞれ、面ファスナにより固定すればよい。この場合、前側、後側の各バンド２Ｆ、２Ｒは各足支持ブロック１の前側、後側の各ベルト挿通部１０１、１０２に通され、上面１５と本底１６１、溝１６０の各凹部１７、１８の中底１７１、１８１との間に巻き掛けられているので、各バンド２Ｆ、２Ｒを足に強く巻き付けて、足に各足支持ブロック１を確実に固定することができる。また、この場合、各バンド２Ｆ、２Ｒを足に強く巻き付けても、足に各足支持ブロック１上面１５の各バンド挿通部１０１、１０２がグロメット１０により保護されているので、各バンド２Ｆ、２Ｒの締め過ぎで各足支持ブロック１が形状変化することがなく、これらのバンド２Ｆ、２Ｒで足を各足支持ブロック１の足乗せ部１５にしっかりと固定することができる。さらに、各足支持ブロック１の上面足乗せ部１５の各立ち上がり部１１１，１１２、１１３により、足乗せ部１５上での足のずれを防止することができる。
図９にこの農作業用下駄Ａの使用例を示している。この図９では、トマトの収穫作業を例示し、通常では農作業者の手の届かない少し高い場所のトマトを収穫する様子を示している。
図９に示すように、農作業者は、足の（裏）下に農作業用下駄Ａを装着したことにより、足場の高さを、この場合、３０ｃｍ程伸長したので、特に手の届きにくい少し高い場所のトマトを通常の手の届く高さのトマトと同様に容易に取ることができる。この場合、この農作業用下駄Ａは、本体が既述のとおり発泡プラスチック（特殊ポリスチレンフォーム）により断面略台形に形成されて、十分な強度を有し、地面との設置面積が大きく、安定性に優れた構造になっているので、このしっかりとした足場の上で、安心して、効率よく収穫作業を行うことができる。さらに、この農作業用下駄Ａは、本体が発泡プラスチック（特殊ポリスチレンフォーム）により形成され、さらに、底面１６は本底１６１及び２分割されたヒール１６２からなり、底面１６に溝１６０、１９、さらに、本底１６１、溝１６０に凹部１７、１８（図８参照）が形成されているので、農作業者が２つの足支持ブロック１の重さがまったく気にならない程軽量で、農作業者は、足腰の負担を軽減して、容易に移動（歩行）することができる。しかも、本底１６１と正面１１との間にアールが付けられてつま先上がりに、ヒール１６２と背面１２との間にアールが付けられて踵上がりになっているので、歩行時の体重移動が容易で、けり出しをスムーズに行え、前向き、後向き、横向きの歩行を軽快に行うことができる。さらには、底面１６に１６０、１９、凹部１７、１８（図８参照）が形成されていることで、地面に凹凸があったり石が転がっていたり埋まっていたりしても、地面の凸部や石を溝１６０、１９や凹部１７、１８内に逃がして、安定的に歩行することができる。したがって、手の届かない少し高い場所のトマトを取っては移動し、これを繰り返すことで、高所のトマトを通常の手の届く高さのトマトと同様に、連続的に、効率よく、収穫することができる。
【００１８】
以上説明したように、この農作業用下駄Ａによれば、発泡プラスチックにより、所定の高さを有する断面略台形に形成され、上面１５が足を乗せるための足乗せ部で、底面１６が前部側の本底１６１と後部側の２分割されたヒール１６２に３分割された一対の足支持ブロック１と、各足支持ブロック１を足に固定するためのバンド２とを備えて構成され、農作業者が足の下に装着することで足場の高さを伸長し、底面１６の本底１６１及び２分割されたヒール１６２の３点支持により移動できるようにしたので、通常では手の届きにくい少し高い場所でも手が届き、また、底面１６に大きい設置面積を有していても底面１６の３分割により底面１６と地面との接触面積を可及的に少なくして地面の凹凸に対応して移動することができ、農作業の、特に、手が届かない少し高い場所の作業を手の届く高さの場所の作業と同様に容易に連続的に行うことができる。農作業者は、高所作業中、各足支持ブロック１を足に装着したままなので、各足支持ブロック１を上がり下りすることがなく、その分だけ、肉体的疲労を軽減することができる。
しかも、この農作業用下駄Ａは主要部の各足支持ブロック１が発泡プラスチック成形品で成形しやすく、これにナイロン製のバンドを取り付けた簡単な構造にしたので、全体の製造コストを低減して、農作業者に廉価で提供することができる。
【００１９】
また、この農作業用下駄Ａではさらに次のような利点がある。
（１）各足支持ブロック１の上面足乗せ部１５の各立ち上がり部１１１，１１２、１１３が設けられているので、農作業者は、各足支持ブロック１を装着して歩行する際に、足乗せ部１５上での足のずれを防止して、安全に歩行することができる。
（２）各足支持ブロック１の底面１６は前後方向中間に溝１６０が形成されて、前部側の本底１６１と、後部側のヒール１６２とからなり、さらに、本底１６１、溝１６０にそれぞれ、凹部１７、１８を有し、ヒール１６２の左右方向中間部に溝１９を有しているので、地面との接触面積を可及的に少なくして、地面に凹凸があったり石が転がっていたり埋まっていたりしても、地面の凸部や石を溝１６０、１９や凹部１７、１８内に逃がして、安定よく、安全に歩行することができる。また、本底１６１と正面１１との間にアールが付けられてつま先上がりに、ヒール１６２と背面１２との間にアールが付けられて踵上がりになっているので、歩行時の体重移動が容易で、けり出しをスムーズに行え、軽快なフットワークを得ることができる。
（３）前側、後側の各バンド２Ｆ、２Ｒは各足支持ブロック１の前側、後側の各ベルト挿通部１０１、１０２に通され、上面１５と本底１６１、溝１６０の各凹部１７、１８の中底１７１、１８１との間に巻き掛けられているので、各バンド２Ｆ、２Ｒを足に強く巻き付けて、足に各足支持ブロック１を確実に固定することができる。また、この場合、各バンド２Ｆ、２Ｒを足に強く巻き付けても、足に各足支持ブロック１上面１５の各バンド挿通部１０１、１０２がグロメット１０により保護されているので、各バンド２Ｆ、２Ｒの締め過ぎで各足支持ブロック１が形状変化することがなく、これらのバンド２Ｆ、２Ｒで足を各足支持ブロック１の足乗せ部１５にしっかりと固定することができる。
【００２０】
なお、この農作業用下駄Ａは農作業用であるが、農作業以外の作業で手の届かない少し高い場所の作業にも利用することができる。
例えば、洗車の場合、車両の屋根は手が届きにくいため、洗車の際に、この農作業用下駄を使用することにより、車両の屋根に手が届きやすくなり、尾根の洗浄を容易に行うことかできる。
【符号の説明】
【００２１】
Ａ  農作業用下駄
１  足支持ブロック
１１  正面
１１１  立ち上がり部
１１２  立ち上がり部
１１３  立ち上がり部
１２  背面
１３  外側の側面
１４  内側の側面
１５  上面（足乗せ部）
１６  底面
１６０  溝
１６０Ｆ  前部側傾斜面
１６０Ｒ  後部側傾斜面
１６１  本底
１６２  ヒール
１７  凹部
１７１  中底
１８  凹部
１８１  中底
１９  溝
１０１  前側ベルト挿通部
１０２  後側ベルト挿通部
１０  グロメット
２  バンド゜
２Ｆ  前側のバンド
２Ｒ  後側のバンド
【図１】
2017136132.tif 000003
【図２】
2017136132.tif 000004
【図３】
2017136132.tif 000005
【図４】
2017136132.tif 000006
【図５】
2017136132.tif 000007
【図６】
2017136132.tif 000008
【図７】
2017136132.tif 000009
【図８】
2017136132.tif 000010
【図９】
2017136132.tif 000011